(57)【特許請求の範囲】
【請求項１】
ラッチボールが嵌るボール溝を設けたピストンロッドを高速に前進させることにより、噴射孔から薬液をジェット噴射させて皮下注射を行う針無注射器において、前記ピストンロッドのボール溝に嵌って前記ピストンロッドをラッチするためのラッチボールと、前記ボール溝に嵌ったラッチボールと契合する押え面と、ラッチ解除によりラッチボールが飛び出して当る当り面を有するラッチ解除ボタンと、前記ラッチ解除ボタンを前記注射器本体に対して付勢する付勢手段とを備え、前記ラッチ解除ボタンが前記付勢手段により付勢された状態で、前記ボール溝に嵌ったラッチボールに前記押え面が契合し、前記ラッチ解除ボタンが前記付勢手段の付勢力に抗して押された場合に、前記ラッチボールと前記押え面との契合が外れてラッチが解除され、前記ラッチボールが前記当り面に当るように構成されており、前記当り面が衝撃緩衝材で形成されていることを特徴とする針無注射器。
【発明の詳細な説明】
【技術分野】
【０００１】
本発明はノズルの噴射孔から吸入された薬液、または、あらかじめノズル内に充填されている薬液をジェット噴射させて皮下注射を行う針無注射器に関する。
【背景技術】
【０００２】
針無注射器はその先端部の噴射孔から吸入したノズル内の薬液、またはあらかじめノズル内に充填されている薬液を、噴射孔からジェット噴射することにより、薬液を患者の皮下に注入する注射器である。すなわち、針無注射器による注射は皮下注射時に注射針を使用しないため、針刺し事故の防止、先端恐怖症の患者に使用が可能等の利点がある。また、妊婦が使用する際には胎児への音の影響や、公共の場での音の影響をも考慮しなくてはならない。
【０００３】
従来の針無注射器の構造を図４に示す。（Ａ）は針無注射器の平面図、（Ｂ）は注射後の状態におけるＡ−Ａ断面図である。この針無注射器は先端に噴射孔１ａを有するノズル１が組み込まれ、後方に吸入された薬液の噴射量を表示する噴射量表示窓２ａを開口した前側円筒部２と、前端にピストン３を係着し、その後方にフランジリング４を一体的に固着すると共に、該フランジリング４とフランジ５との間に配設された圧縮ばね６を貫通して前後に移動可能なピストンロッド７と、ラッチボール８を収容したラッチボール受け９、前記ピストンロッド７の円周上に形成された溝部７ａ及びラッチ解除ボタン１０からなるラッチ機構と、前記ラッチボール受け９を固着し、ねじ部１３で前側円筒部２と螺合すると共に、ラッチ解除ボタン１０を後方から挿入してなる後側円筒部１２から構成されている。
【０００４】
この針無注射器の後側円筒部１２を回して前側円筒部２に押し込んでいくと、ラッチボール受け９と連動して、ラッチボール８は前進しピストンロッド７の溝部７ａ上までくると溝部７ａに落ち込むと同時に、このラッチボール８の反対側はラッチ解除ボタン１０の先端内周面で押さえられ、ピストンロッド７は後側円筒部１２に連結（ラッチ）された状態となる。この時、フランジリング４は基準位置にあって噴射量表示窓２ａの目盛数字は予め０になるように組み立てられており、この状態で例えば薬液バイアル（図示しない）の吸入口に針無注射器の噴射孔１ａを当てがい、後側円筒部１２を反対方向に回転すると必要な薬液量が吸入でき、次いで噴射量を設定しノズル１の噴射孔１ａを注射部位に当てがいラッチ解除ボタン１０を押し込みラッチを解除することにより薬液注入が行われる。
【特許文献１】特開２００１−０７９０８６号公報
【発明の開示】
【発明が解決しようとする課題】
【０００５】
従来の針無注射器は以上のように構成されているが、薬液を注射する瞬間ラッチボール８が溝部７ａから飛び出し、図４に示すようにラッチ解除ボタン１０の内面に衝突するが、その際に衝撃音を発生し、注射を受ける者が妊婦である場合胎児の心身に悪影響を及ぼすという心配がある。
本発明は、このような事情に鑑みてなされたものであって、噴射時の発生音の小さい針無注射器を提供することを目的とする。
【課題を解決するための手段】
【０００６】
上記の目的を達成するため、本発明の針無注射器はラッチボールが嵌るボール溝を設けたピストンロッドを高速に前進させることにより、噴射孔から薬液をジェット噴射させて皮下注射を行う針無注射器において、前記ピストンロッドのボール溝に嵌って前記ピストンロッドをラッチするためのラッチボールと、前記ボール溝に嵌ったラッチボールと契合する押え面と、ラッチ解除によりラッチボールが飛び出して当る当り面を有するラッチ解除ボタンと、前記ラッチ解除ボタンを前記注射器本体に対して付勢する付勢手段とを備え、前記ラッチ解除ボタンが前記付勢手段により付勢された状態で、前記ボール溝に嵌ったラッチボールに前記押え面が契合し、前記ラッチ解除ボタンが前記付勢手段の付勢力に抗して押された場合に、前記ラッチボールと前記押え面との契合が外れてラッチが解除され、前記ラッチボールが前記当り面に当るように構成されており、前記当り面が衝撃緩衝材で形成されている。
本発明の針無注射器は、上記のように構成されており、噴射時の発生音を小さくすることができる。
【発明の効果】
【０００７】
本発明によれば針無注射器の注射時における発生音が低減し、妊婦使用時の胎児への悪影響を軽減できる。また、公共の場所で使用しても発生音が低減されているので使いやすくなる。
【発明を実施するための最良の形態】
【０００８】
以下、実施例により本発明の針無注射器を詳細に説明する。図１は本発明の針無注射器の薬液吸入前の側面断面図（Ａ）とそのラッチ機構部の拡大図（Ｂ）、図２は薬液噴射後の針無注射器後部の側面断面図である。図において前記ラッチ解除ボタン１０の構造を除いては、図４に示した従来の針無注射器と同一に構成されており、それらの構成部材に対しては同一符号を付している。
【０００９】
本針無注射器は、図１（Ａ）に示すように、内挿されたピストン３の移動により薬液を噴射させる噴射孔１ａを先端中央に配設したノズル１を前方中央に嵌め込み、後方に薬液噴射量を表示する噴射量表示窓２ａを開口した前側円筒部２と、前記ピストン３を駆動するピストンロッド７をラッチするラッチ機構とラッチを解除しピストンロッド７をフリーにして高速前進させるラッチ解除ボタン１１を内設した後側円筒部１２がねじ部１３で螺合され、前記ピストンロッド７にはフランジリング４が一体的に固着され、このフランジリング４と回転ベアリング１４に連接して設けられたフランジ５間には圧縮ばね６が介設され、ピストンロッド７がそれを貫通して配設されている。
【００１０】
前記ラッチ機構は、図１（Ｂ）に示すように、後側円筒部１２に固定され、ラッチボール８が軸方向と直角に移動可能に形成された複数の小孔９ａを備えたラッチボール受け９と、ピストンロッド７の円周１回転上に形成された溝部７ａと、この溝部７ａにラッチボール８をラッチする押え面１６ａを形成したボール押え１６と前記溝部７ａからラッチボール８の抜け出しを可能にする当り面１５ａを形成した筒状のクッション部材１５を一体的に結合されたラッチ解除ボタン１１と、前記ラッチボール受け９とボール押え１６間に介在しラッチ解除ボタン１１に後方への付勢力を付与する圧縮ばね１７から構成されている。前記クッション部材１５は、衝撃緩衝材となるゴムまたはシリコンなどの軟質樹脂を筒状に加工したものや、直接ラッチ解除ボタン１１に一体成型法により形成したものが用いられる。
【００１１】
次に、この針無注射器による薬液吸入から注射までの一連の動作中におけるラッチボール８の動きを図１、２を参照しながら説明する。図１に示す針無注射器は薬液吸入前の状態、すなわちピストンロッド７が後側円筒部１２にラッチされ、フランジリング４が前方に押し付けられた状態にある。このとき、ラッチボール８の一部がピストンロッド７の溝部７ａに嵌まり込み、その反対側は前記押え面１６ａに接している。この状態で注射器の噴射孔１ａを薬液バイアルに押し当て後側円筒部１２を後退させ所定の薬液量を注入する。そして噴射孔１ａを注射部位に当てて、ラッチ解除ボタン１１を押し込み押え面１６ａがラッチボール８より前方に移動すると、圧縮ばね６の伸張力によってピストンロッド７が前方に高速で移動する。この瞬間各ラッチボール８はピストンロッド７の溝部７ａの立上がり面で押されてボール押え１６の傾斜面１６ｂに沿って押し出され、クッション部材１５の当り面１５ａに当って図２に示すようにピストンロッド７と当り面１５ａで囲まれる空間内に停止する。この動作は高速に行われクッション部材１５内面に大きな衝撃力を加えるが、この衝撃力はクッション部材１５によって吸収され、このときに発生する衝撃音が低減する。
【００１２】
前記ロック解除ボタン１１の変形例であるラッチ解除ボタン１１Ａを用いた針無注射の後部断面図を図３に示す。このラッチ解除ボタン１１Ａは、前記クッション部材１５と同質材料のクッション部材１８と前記ボール押え１６と筒状のボール押え１９を使用して構成されている。これにより、前記傾斜面１６ｂは衝撃緩衝材であるクッション部材１８で形成されるので、ラッチボール８の衝撃力は傾斜面１８ａ部と当り面１８ｂの両方で弱められ、衝撃力はクッション部材１５の場合に比しより減衰させることができ、その際の衝撃音も小さくなる。
【産業上の利用可能性】
【００１３】
ノズルの噴射孔から吸入した一定量の薬液あるいはあらかじめノズル内に充填されている薬液をジェット噴射させて皮下注射を行う針無注射器、特に噴射時の発生音を低くする針無注射器に用いられる。
【図面の簡単な説明】
【００１４】
【図１】本発明の実施例による針無注射器の薬液吸入前の側面断面図（Ａ）とそのラッチ機構部の拡大図（Ｂ）である。
【図２】薬液噴射後の針無注射器後部の側面断面図である。
【図３】他の実施例に係わる針無注射器の後部断面図（Ａ）とクッション部材の一部断面で示す側面図（Ｂ）である。
【図４】従来の針無注射器の構成を示す平面図（Ａ）と側面断面図（Ｂ）である。
【符号の説明】
【００１５】
１  ノズル
１ａ  噴射孔
２  前側円筒部
２ａ  噴射量表示窓
３  ピストン
４  フランジリング
５  フランジ
６、１７  圧縮ばね
７  ピストンロッド
７ａ  溝部
８  ラッチボール
９  ラッチボール受け
９ａ  小孔
１０、１１、１１Ａ  ラッチ解除ボタン
１２  後側円筒部
１３  ねじ部
１４  回転ベアリング
１５、１８  クッション部材
１５ａ、１８ｂ  当り面
１６、１９  ボール押え
１６ａ  押え面
１６ｂ、１８ａ  傾斜面
【図１】
0004640247.tif 000002
【図２】
0004640247.tif 000003
【図３】
0004640247.tif 000004
【図４】
0004640247.tif 000005